(57)【要約】【課題】メモリを共通使用してメモリ容量の増加を抑制すると共に、メモリの有効活用を図ることにより装置のコストダウンと転送効率高めた画像読取装置を提供する。【解決手段】この画像読取装置は、原稿上の画像を光電変換するＣＣＤ１０ａとその信号をＡ／Ｄ変換するＡ／Ｄ変換器１０ｂとデジタル信号を画像処理する画像処理部１０ｃから構成され、原稿の表面の画像読取を行う読取部１０と、同じく原稿上の画像を光電変換するＣＣＤ２０ａとその信号をＡ／Ｄ変換するＡ／Ｄ変換器２０ｂとデジタル信号を画像処理する画像処理部２０ｃから構成され、原稿の裏面の画像読取を行う読取部２０と、メモリ５１の書き込みと読み出しの制御を行うメモリ制御部５０と、読取部１０、２０の画像データを記憶するメモリ５１と、外部とのインターフェースを確立する各種Ｉ／Ｆ４０とを備えて構成される。【選択図】      図１
2004320314.tif 000002
【特許請求の範囲】
【請求項１】
原稿上の画像を光電変換して画像データを生成する画像読み取り手段と、該画像読み取り手段により生成された画像データを記憶する記憶手段とを備えた画像読取装置において、
少なくとも２つ以上の前記画像読み取り手段から読み取られた画像データを共通の記憶手段に記憶、或いは該記憶手段から読み出すために、前記記憶手段の記憶領域を指定するアドレス制御部と、前記記憶手段に記憶された画像データを読み出すための制御を行うデータ制御部とを有するメモリ制御部を備えたことを特徴とする画像読取装置。
【請求項２】
前記メモリ制御部は、前記アドレス制御部に前記記憶手段が有する記憶容量の総容量及び前記画像読み取り手段が読み取る原稿の読み取り面を設定することにより、前記記憶容量の総容量を均等に２分割して夫々の分割容量に前記原稿の読み取り面を対応させて記憶することを特徴とする請求項１に記載の画像読取装置。
【請求項３】
前記メモリ制御部は、前記アドレス制御部に前記記憶手段が有する記憶容量の総容量及び前記画像読み取り手段が読み取る原稿のページ数を設定することにより、前記記憶容量の総容量を前記原稿のページ数に均等分割して夫々の分割容量に前記原稿のページ数を対応させて記憶することを特徴とする請求項１に記載の画像読取装置。
【請求項４】
前記メモリ制御部は、前記アドレス制御部に前記記憶手段が有する記憶容量の総容量、前記画像読み取り手段が読み取る原稿のページ数及び各ページのデータ量を設定することにより、前記記憶容量の総容量を前記各ページのデータ量に応じて分割し、夫々の分割容量に前記原稿のページ数を対応させて記憶することを特徴とする請求項１に記載の画像読取装置。
【請求項５】
前記メモリ制御部は、前記アドレス制御部に前記記憶手段が有する記憶容量の総容量、前記画像読み取り手段が読み取る原稿のページ数、及び各ページのデータ量を設定することにより、前記記憶容量の総容量を前記各ページのデータ量に応じて分割し、夫々の分割容量に前記原稿のページ数を対応させて記憶すると共に、前記アドレス制御部に読み出しページを設定することにより該設定されたページに対応する画像データを前記記憶手段から読み出すことを特徴とする請求項１に記載の画像読取装置。
【請求項６】
前記メモリ制御部は、前記原稿の読み取り面に対応した画像読み取り手段により読み取られた各１ページ分の画像データを順次前記記憶手段に記憶する動作が完了後、該記憶手段から前記各１ページ分の画像データを順次読み出し、該読み出しが完了すると、次ページの記憶動作に移行することを特徴とする請求項１乃至５の何れか一項に記載の画像読取装置。
【請求項７】
前記メモリ制御部は、前記原稿の読み取り面に対応した画像読み取り手段により読み取られた各１ページ分の画像データを順次前記記憶手段に記憶し、全ページの記憶動作が完了後、前記記憶手段から前記各１ページ分の画像データを順次読み出し、全ページの読み出しが完了するまで連続して行うことを特徴とする請求項３乃至５の何れか一項に記載の画像読取装置。
【請求項８】
前記メモリ制御部は、前記原稿の読み取り面に対応した画像読み取り手段により読み取られた各１ページ分の画像データを順次前記記憶手段に記憶中に、該記憶手段からの画像データの読み出しを開始し、該読み出しが完了すると、次ページの記憶動作に移行することを特徴とする請求項１乃至５の何れか一項に記載の画像読取装置。
【請求項９】
前記メモリ制御部は、前記原稿の読み取り面に対応した画像読み取り手段により読み取られた各１ページ分の画像データを順次前記記憶手段に記憶中に、該記憶手段からの画像データの読み出しを開始し、前記記憶手段の記憶動作が完了すると、次ページの記憶動作に移行することを特徴とする請求項１乃至５の何れか一項に記載の画像読取装置。
【請求項１０】
前記記憶手段は、ファーストイン・ファーストアウト（ＦＩＦＯ）型のメモリであることを特徴とする請求項８又は９に記載の画像読取装置。
【発明の詳細な説明】
【０００１】
【発明の属する技術分野】
本発明は、画像読取装置に関し、さらに詳しくは、複数の画像読取装置から読み取られた画像データを共通のメモリに記憶する方法に関するものである。
【０００２】
【従来の技術】
従来から原稿の読み取り手段で読取った画像データを処理速度の異なるバスに転送する場合、その速度差を吸収するためにデータを一時的に蓄積、保存するメモリが必要となる。例えば原稿１ページの両面を同時に読み取ろうとした場合、装置内の２つの読取部（原稿の表面及び裏面に対応）で読み取った画像データ処理を並行処理するため、メモリ及びメモリ制御装置を２つ備える必要がある。
図８は従来の両面読取を可能とした画像読取装置のブロック図である。この画像読取装置は、原稿の表面の画像読取を行う読取部１１０及び裏面の画像読取を行う読取部１２０にて処理された画像データは、各種Ｉ／Ｆ１４０へのデータ転送を行う前に、メモリ制御部１１１及びメモリ制御部１２１を介して画像データをメモリ１１２及びメモリ１２２へ一時的に蓄積、保存する。そして、各種Ｉ／Ｆ１４０からの要求に応じてメモリを選択して読み出しを行い、表面か裏面の画像データをセレクタ１３０を介して転送する。
また特開平７−２９８００８号公報には、コストアップを最小限に抑え、原稿の両面の各読み取り画像データを外部装置へ短時間で転送できるようにする技術について開示されている。それによると、画像読取部による原稿両面の画像読み取り動作時に、その表面（第１面）の画像データを外部装置であるホストコンピュータへ、その裏面（第２面）の画像データをＲＡＭへそれぞれ転送し、その各転送処理が終了した後、ＲＡＭから画像データを読み出してホストコンピュータへ転送する。あるいは、画像読取部による複数枚の原稿の連続画像読み取り動作時に、１枚目の原稿の表面の画像データをホストコンピュータへ、その裏面の画像データをＲＡＭへそれぞれ転送した後、２枚目の原稿の両面の各画像データをそれぞれＲＡＭへ転送し、ＲＡＭから各画像データを順次読み出してホストコンピュータへそれぞれ転送するとしている。
【特許文献１】特開平７−２９８００８号公報
【０００３】
【発明が解決しようとする課題】
図８の従来の両面読取を可能とした画像読取装置は、メモリ制御部とメモリが表面もしくは裏面のどちらか一方の読み取りの装置と比較して２倍必要となり、コスト的に大幅ＵＰとなるといった問題がある。
また両面同時に読み取った画像データをページ単位で処理しようとする場合、１ページの読み取りにつき２つのメモリ、もしくは領域（表面と裏面分）が必要となる。システムとして１ページ分のデータの読み取りと転送を行った後に、次ページの処理を行えばメモリの個数、もしくは領域の分割は固定（２つ）でよいが、１ページ分のデータ転送が終わる前に次ページの読み取りを開始する場合には、メモリ領域（ページ分割）が更に必要となる。
また、通常、読取装直外部に対する画像データの転送は両面分を同時に行うことはなく、どちらか一方を選択して行うので、両面同時に読み取りを行った場合にはどちらかの読取面のデータを一旦メモリに蓄積しなければならない。更に原稿の読み取り条件（線密度）に応じて画像のデータ量は異なるため、読取条件に応じたメモリ容量が必要となるが、容量を大きくすれば必然的にコストアップとなり、少ないとメモリがオーバフローしてしまうといった問題がある。
また両面同時に読み取りを行った場合、メモリに蓄積、保存された画像データのページ数が表面／裏面各１ページの場合は転送する面を設定するだけでよいが、複数ページがメモリに蓄積、保存されている場合には、面の設定だけであると通常、転送はメモリに書き込まれた順番通りとなり、任意に転送順序を変更することができない。
また画像読取装置のメモリの領域が複数ページ分ある場合、原稿の読み取り手段で読取った画像データを１ページ分メモリに書き込んだ後、読み出し（転送）を行うとメモリの有効活用にならない。
また特許文献１は、ＲＡＭとホストコンピュータを使用して、交互に表裏の画像データを記憶することにより、メモリを節約してコストアップを抑制するものであるが、あくまでもメモリの総容量には変化がなく、ホストコンピュータのメモリにより半分肩代わりしてもらっているだけであり、システム全体としてはコストダウンとならない。
本発明は、かかる課題に鑑み、メモリを共通使用してメモリ容量の増加を抑制すると共に、メモリの有効活用を図ることにより装置のコストダウンと転送効率高めた画像読取装置を提供することを目的する。
【０００４】
【課題を解決するための手段】
本発明はかかる課題を解決するために、請求項１は、原稿上の画像を光電変換して画像データを生成する画像読み取り手段と、該画像読み取り手段により生成された画像データを記憶する記憶手段とを備えた画像読取装置において、少なくとも２つ以上の前記画像読み取り手段から読み取られた画像データを共通の記憶手段に記憶、或いは該記憶手段から読み出すために、前記記憶手段の記憶領域を指定するアドレス制御部と、前記記憶手段に記憶された画像データを読み出すための制御を行うデータ制御部とを有するメモリ制御部を備えたことを特徴とする。
従来の画像読取装置により、原稿の表裏の画像データを同時に読み込んで記憶するためには、原稿の表裏に個別に読み取り部とメモリを必要とする。しかも各メモリを制御するためにメモリ制御部も個別に必要であった。しかし、ホストに対して画像データを転送するためには、同時に転送することは不可能であるため、どちらか一方のデータが転送完了するまで他方のデータはメモリ内に格納されている。このように、同時に読み取るためにメモリと制御回路が２つ必要となり、コスト的に大きな負担となっていた。そこで本発明では、異なるデータを共通のメモリに記憶するために、メモリのどの領域にどのデータが記憶されているかを認識するためのアドレス制御部と、共通のメモリから異なるデータを正確に読み出すためにデータの制御を行うデータ制御部を有するメモリ制御部を備えている。これにより、共通のメモリ内に記憶された異なるデータを、正確に記憶して読み出すことが可能となり、メモリ容量の削減とメモリの有効活用を図り、装置のコストダウンを実現することができる。
かかる発明によれば、メモリ制御部にアドレス制御部とデータ制御部を備えるので、共通のメモリ内に記憶された異なるデータを、正確に記憶して読み出すことが可能となり、メモリ容量の削減とメモリの有効活用を図り、装置のコストダウンを実現することができる。
請求項２は、前記メモリ制御部は、前記アドレス制御部に前記記憶手段が有する記憶容量の総容量及び前記画像読み取り手段が読み取る原稿の読み取り面を設定することにより、前記記憶容量の総容量を均等に２分割して夫々の分割容量に前記原稿の読み取り面を対応させて記憶することを特徴とする。
本発明では、アドレス制御部にメモリの総容量と読み取る原稿が表か裏かの情報を設定し、メモリの総容量からその容量を均等に半分に分割し、それぞれの領域に原稿の表と裏の情報を個別に記憶していくものである。
かかる発明によれば、メモリ容量の半分ずつに原稿の表と裏の画像データを記憶するので、制御が簡略化され回路構成を簡略化してコストダウンを図ることができる。
【０００５】
請求項３は、前記メモリ制御部は、前記アドレス制御部に前記記憶手段が有する記憶容量の総容量及び前記画像読み取り手段が読み取る原稿のページ数を設定することにより、前記記憶容量の総容量を前記原稿のページ数に均等分割して夫々の分割容量に前記原稿のページ数を対応させて記憶することを特徴とする。
本発明では、アドレス制御部にメモリの総容量と読み取る原稿の総ページ数を設定し、メモリの総容量を総ページ数で均等に分割し、それぞれの領域に原稿の各ページの情報を個別に記憶していくものである。
かかる発明によれば、メモリ容量を各ページ数で分割してその分割容量に各ページの画像データを記憶するので、ページとメモリアドレスの対応が容易となり、制御を簡略化することができる。
請求項４は、前記メモリ制御部は、前記アドレス制御部に前記記憶手段が有する記憶容量の総容量、前記画像読み取り手段が読み取る原稿のページ数及び各ページのデータ量を設定することにより、前記記憶容量の総容量を前記各ページのデータ量に応じて分割し、夫々の分割容量に前記原稿のページ数を対応させて記憶することを特徴とする。
原稿の各ページに記録されている画像データは必ずしも同じではない。従って、各ページごとにデータ量が異なるのが一般的である。そこで本発明では、各ページのデータ量を設定し、そのデータ量に応じて各ページにメモリ容量を割り当てるものである。
かかる発明によれば、メモリ容量を各ページ数のデータ量に応じて割り当て、その割り当てられた容量のアドレスに各ページの画像データを記憶するので、全体のメモリ領域を有効に活用することができる。
【０００６】
請求項５は、前記メモリ制御部は、前記アドレス制御部に前記記憶手段が有する記憶容量の総容量、前記画像読み取り手段が読み取る原稿のページ数、及び各ページのデータ量を設定することにより、前記記憶容量の総容量を前記各ページのデータ量に応じて分割し、夫々の分割容量に前記原稿のページ数を対応させて記憶すると共に、前記アドレス制御部に読み出しページを設定することにより該設定されたページに対応する画像データを前記記憶手段から読み出すことを特徴とする。
本発明は画像データを記憶する場合は、請求項４と同じようにページのデータ量に応じてメモリ容量を割り振り、データを読み出すときは読み出すページを指定することにより、任意のページを読み出すことが可能となる。
かかる発明によれば、メモリ容量を各ページ数のデータ量に応じて割り当て、その割り当てられた容量のアドレスに各ページの画像データを記憶し、読み出すときはページを指定できるので、全体のメモリ領域を有効に活用すると共に、任意のページを読み出すことが可能となり、利便性が高くなる。
請求項６は、前記メモリ制御部は、前記原稿の読み取り面に対応した画像読み取り手段により読み取られた各１ページ分の画像データを順次前記記憶手段に記憶する動作が完了後、該記憶手段から前記各１ページ分の画像データを順次読み出し、該読み出しが完了すると、次ページの記憶動作に移行することを特徴とする。
本発明のメモリの書き込み、読み出し動作は、１ページ目の表面と裏面を同時に読み取り、画像データを全てメモリに書き込んだ後、表面及び裏面のデータを全てメモリから読み出して各種Ｉ／Ｆに転送した後、２ページ目の読み取りを行い、以下、同様な動作を繰り返すという動作である。
かかる発明によれば、各ページ毎に書き込み、読み出し動作を行うので、制御が簡略化され、プログラム容量が少なくて済む。
【０００７】
請求項７は、前記メモリ制御部は、前記原稿の読み取り面に対応した画像読み取り手段により読み取られた各１ページ分の画像データを順次前記記憶手段に記憶し、全ページの記憶動作が完了後、前記記憶手段から前記各１ページ分の画像データを順次読み出し、全ページの読み出しが完了するまで連続して行うことを特徴とする。
本発明のメモリの書き込み、読み出し動作は、１ページ目の表面と裏面を同時に読み取り、画像データを全てメモリに書き込んだ後、２ページ目の表面と裏面を同時に読み取り画像データを全てメモリに書き込むといった動作を全ページに亘って繰り返し、全ページの書き込み動作が完了すると、１ページ目の表面及び裏面のデータを全てメモリから読み出し、各種Ｉ／Ｆに転送した後、２ページ目の表面及び裏面のデータを全てメモリから読み出し、各種Ｉ／Ｆに転送するという動作を全ページに亘って繰り返す。
かかる発明によれば、まず書き込み動作を全ページに亘って行い、次に読み出し動作を全ページ亘って行うので、同じ動作が継続して行われるため、制御が単純となり、且つ書き込みと読み出しの動作の切替が最小の数で済む。
請求項８は、前記メモリ制御部は、前記原稿の読み取り面に対応した画像読み取り手段により読み取られた各１ページ分の画像データを順次前記記憶手段に記憶中に、該記憶手段からの画像データの読み出しを開始し、該読み出しが完了すると、次ページの記憶動作に移行することを特徴とする。
メモリの種類には、書き込みと読み出しの動作を個別に行うタイプと、書き込みと読み出しの動作を同時に可能なＦＩＦＯタイプのメモリがある。このＦＩＦＯを使用したメモリでは、１ページ目の表面と裏面を同時に読み取り、画像データをある程度メモリに書き込んだ時点でメモリからの読み出しを開始し（書き込みと読み出しはメモリ制御部で調停管理する）、１ページ目の処理が終了した時点で２ページ目の読み取りを開始するものである。
かかる発明によれば、画像データをある程度メモリに書き込んだ時点でメモリからの読み出しを開始するので、その分装置のアクセスタイムを早めることができる。
【０００８】
請求項９は、前記メモリ制御部は、前記原稿の読み取り面に対応した画像読み取り手段により読み取られた各１ページ分の画像データを順次前記記憶手段に記憶中に、該記憶手段からの画像データの読み出しを開始し、前記記憶手段の記憶動作が完了すると、次ページの記憶動作に移行することを特徴とする。
本発明は、請求項８の発明にたいして、更に２ページ目の書き込み動作を速めるものである。その方法として、１ページ目の表面と裏面を同時に読み取り、画像データをある程度メモリに書き込んだ時点でメモリからの読み出しを開始し（書き込みと読み出しはメモリ制御部で調停管理する）、１ページの目の書き込みが終了した時点で２ページ目の書き込みを開始し、１ページ目の読み出しが完了した時点で２ページ目の読み出しを開始するものである。
かかる発明によれば、画像データをある程度メモリに書き込んだ時点でメモリからの読み出しを開始し、書き込み動作が完了した時点で次ページの書き込みを開始するので、更に装置のアクセスタイムを早めることができる。
請求項１０は、前記記憶手段は、ファーストイン・ファーストアウト（ＦＩＦＯ）型のメモリであることを特徴とする。
メモリには大きく分けてスタティック型、ダイナミック型及びＦＩＦＯ型がある。スタティック型、ダイナミック型はデータの書き込み中に読み出すことができず、その反対も不可能である。つまり、書き込みと読み出し動作は個別に行われる。しかし、ＦＩＦＯ型は、書き込み中に既に書き込まれたデータを読み出すことができる。しかも、書き込みと読み出しの速度を変えることも可能である。
かかる発明によれば、メモリにＦＩＦＯ型メモリを使用するので、データの転送速度を早めることが可能となる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態における画像読取装置のブロック図である。この画像読取装置は、原稿上の画像を光電変換するＣＣＤ１０ａとその信号をＡ／Ｄ変換するＡ／Ｄ変換器１０ｂとデジタル信号を画像処理する画像処理部１０ｃから構成され、原稿の表面の画像読取を行う読取部１０と、同じく原稿上の画像を光電変換するＣＣＤ２０ａとその信号をＡ／Ｄ変換するＡ／Ｄ変換器２０ｂとデジタル信号を画像処理する画像処理部２０ｃから構成され、原稿の裏面の画像読取を行う読取部２０と、メモリ５１の書き込みと読み出しの制御を行うメモリ制御部５０と、読取部１０、２０の画像データを記憶するメモリ５１と、外部とのインターフェースを確立する各種Ｉ／Ｆ４０とを備えて構成される。
次にこの画像読取装置の概略動作について説明する。原稿の表面の画像読取を行う読取部１０及び裏面の画像読取を行う読取部２０にて処理された画像データは、各種Ｉ／Ｆ４０へのデータ転送を行う前にメモリ制御部５０を介して画像データをメモリ５１へ一時的に蓄積、保存する。そして、各種Ｉ／Ｆ４０からの要求に応じてメモリからの読み出しを行い、表面か裏面の画像データを転送する。
【００１０】
図２は本発明の第１の実施例形態におけるメモリ制御部５０及びメモリ５１の制御概要を示す図である。ここでメモリ制御部５０は、図１の読取部１０と２０から読み取られた画像データを共通のメモリ５１に記憶、或いはメモリ５１から読み出すために、メモリ５１の記憶領域を指定するアドレス制御部５０ａと、メモリ５１に記憶された画像データを読み出すための制御を行うデータ制御部５０ｂにより構成されている。そして画像読取装置のシステム制御を行うＣＰＵ（図示なし）が、システムが搭載するメモリの総容量１５及び読取面１６（表面か裏面、もしくは両面同時の設定を行うが、本実施形態では両面同時の場合を示す）をメモリ制御部５０に設定することにより、メモリ制御部５０はメモリ５１の総容量を領域１と領域２に均等に２分割し（総容量をＸとすると、領域１と領域２の容量は各々Ｘ／２）、表面と裏面のデータをそれぞれの領域に格納、保存する。そしてＣＰＵにて読み出しスタート２５をイネーブルさせることにより、領域１に格納、保存された画像データを各種Ｉ／Ｆ４０へ転送データ１９として転送する。尚、領域１のデータ転送が完了した後、再度読み出しをスタートさせることにより今度は領域２に格納、保存さえた画像データが各種Ｉ／Ｆ４０へ転送される。このように、メモリ容量の半分ずつに原稿の表と裏の画像データを記憶するので、制御が簡略化され回路構成を簡略化してコストダウンを図ることができる。
【００１１】
図３は本発明の第２の実施例形態におけるメモリ制御部５０及びメモリ５１の制御概要を示す図である。同じ構成要素には同じ参照番号が付されているので、重複する説明は省略する。図３が図２と異なる点は、読み取り面１６に代わりページ数２６のデータがアドレス制御部５０ａに入力される点である。この実施形態では、画像読取装置のシステム制御を行うＣＰＵ（図示なし）が、システムが搭載するメモリの総容量１５及び分割する領域数（ページ数）２６をメモリ制御部５０に設定することにより、メモリ制御部５０はメモリ５１の総容量を領域１から領域ｎ（ｎはＣＰＵから設定した分割領域数）に均等分割し（総容量をＸとすると、領域１から領域ｎの容量は各々Ｘ／ｎ）、表面と裏面、更には複数ページを連続して読み取った場合に、ページ単位でそれぞれの領域に格納、保存する。そしてＣＰＵにて読み出しスタート２６をイネーブルさせることにより、まず領域１に格納、保存された画像データが各種Ｉ／Ｆ４０へ転送データ１９として転送される。尚、領域１のデータ転送が完了したのち再度読み出しをスタートさせることにより今度は領域２の画像データが転送され、以下同様に領域ｎまでの画像データが各種Ｉ／Ｆ４０へ転送される。このようにメモリ容量を各ページ数で分割してその分割容量に各ページの画像データを記憶するので、ページとメモリアドレスの対応が容易となり、制御を簡略化することができる。
【００１２】
図４は本発明の第３の実施例形態におけるメモリ制御部５０及びメモリ５１の制御概要を示す図である。同じ構成要素には同じ参照番号が付されているので、重複する説明は省略する。図４が図３と異なる点は、更に各ページのデータ量（ページ容量）２７を追加した点である。この実施形態では、画像読取装置のシステム制御を行うＣＰＵ（図示なし）が、システムが搭載するメモリの総容量１５及び分割する領域数（ページ数）２６及び各領域の容量２７をメモリ制御部５０に設定することにより、メモリ制御部５０はメモリ５１の総容量を領域１から領域ｎ（ｎはＣＰＵから設定した分割領域数）に分割すると共に、各飯域の容量が決まる。また表面と裏面、更には複数ページを連続して読み取った場合に、ページ単位でそれぞれの領域に格納、保存する。そしてＣＰＵにて読み出しスタート２５をイネーブルさせることにより、まず領域１に格納、保存された画像データが各種Ｉ／Ｆ４０へ転送される。尚、領域１のデータ転送が完了したのち再度読み出しをスタートきせることにより、今度は領域２の画像データが転送され、以降同様に領域ｎまでの画像データが各撞Ｉ／Ｆ４０へ転送される。このようにメモリ容量を各ページ数のデータ量に応じて割り当て、その割り当てられた容量のアドレスに各ページの画像データを記憶するので、全体のメモリ領域を有効に活用することができる。
【００１３】
図５は本発明の第４の実施例形態におけるメモリ制御部５０及びメモリ５１の制御概要を示す図である。同じ構成要素には同じ参照番号が付されているので、重複する説明は省略する。図５が図４と異なる点は、更に読み出しページ２８を追加した点である。この実施形態では、画像読取装置のシステム制御を行うＣＰＵ（図示なし）が、システムが搭載するメモリの総容量１５及び分割する領域数（ページ数）２６及び各領域の容量２７をメモリ制御部５０に設定することにより、メモリ制御部５０はメモリ５１の総容量を領域１から領域ｎ（ｎはＣＰＵから設定した分割領域数）に分割すると共に、各額域の容量が決まる。また表面と裏面、更に複数ページを連続して読み取った場合に、ページ単位でそれぞれの領域に格納、保存する。そしてＣＰＵにて読み出しを行う読み出しページ２８を設定した後、読み出しをスタートさせることにより、任意の領域に格納、保存された画像データを各種Ｉ／Ｆ４０へ転送データ１９として転送する。尚、ある領域のデータ転送が完了した後、再度読み出しページを設定して読み出しをスタートさせることにより、今度は異なる任意の領域の画像データが各種Ｉ／Ｆ４０へ転送される。このようにメモリ容量を各ページ数のデータ量に応じて割り当て、その割り当てられた容量のアドレスに各ページの画像データを記憶し、読み出すときはページを指定できるので、全体のメモリ領域を有効に活用すると共に、任意のページを読み出すことが可能となり、利便性が高くなる。
【００１４】
図６は図２から図５の両面同時読み取りを２ページ行った場合のメモリ制御を示す図である。図６（ａ）はフレーム動作▲１▼であり、図６（ｂ）はフレーム動作▲２▼である。ここでいうフレーム動作▲１▼とは、領域Ａで１ページ目の表面と裏面を同時に読み取り、画像データを全てメモリに書き込んだ後、領域Ｂで表面及び裏面のデータを全てメモリから読み出して各種Ｉ／Ｆに転送した後、領域Ｃで２ページ目の表面と裏面を同時に読み取り、画像データを全てメモリに書き込んだ後、領域Ｄで表面及び裏面のデータを全てメモリから読み出して各種Ｉ／Ｆに転送する動作を言う。このように各ページ毎に書き込み、読み出し動作を行うので、制御が簡略化され、プログラム容量が少なくて済む。
また、フレーム動作▲２▼とは、領域Ａ１ページ目の表面と裏面を同時に読み取り、画像データを全てメモリに書き込んだ後、領域Ｃで２ページ目の表面と裏面を同時に読み取り画像データを全てメモリに書き込む。そして、領域Ｂで１ページ目の表面及び裏面のデータを全てメモリから読み出し、各種Ｉ／Ｆに転送した後、領域Ｄで２ページ目の表面及び裏面のデータを全てメモリから読み出し、各種Ｉ／Ｆに転送する動作を言う。このように、まず書き込み動作を全ページに亘って行い、次に読み出し動作を全ページ亘って行うので、同じ動作が継続して行われるため制御が単純となり、且つ書き込みと読み出しの動作の切替が最小の数で済む。
【００１５】
図７は両面同時読み取りを２ページ行った場合のメモリ制御を示す図である。図７（ａ）はＦＩＦＯ動作▲１▼であり、図７（ｂ）はＦＩＦＯ動作▲２▼である。ＦＩＦＯ動作▲１▼は領域Ａで１ページ目の表面と裏面を同時に読み取り、画像データをある程度メモリに書き込んだ時点で、領域Ｂでメモリからの読み出しを開始し（書き込みと読み出しはメモリ制御部５０で調停管理する）、１ページ目の処理が終了した時点で領域Ｃで２ページ目の表面と裏面を同時に読み取り、画像データをある程度メモリに書き込んだ時点で、領域Ｄでメモリからの読み出しを開始するものである。ＦＩＦＯ動作▲２▼は領域Ａで１ページ目の表面と裏面を同時に読み取り、画像データをある程度メモリに書き込んだ時点で領域Ｂでメモリからの読み出しを開始し（書き込みと読み出しはメモリ制御部５０で調停管理する）、１ページの目の書き込みが終了した時点で領域Ｃで２ページ目の書き込みを開始し、１ページ目の読み出しが完了した時点で領域Ｄで２ページ目の読み出しを開始するものである。
このように画像データをある程度メモリに書き込んだ時点でメモリからの読み出しを開始し、書き込み動作が完了した時点で次ページの書き込みを開始するので、更に装置のアクセスタイムを早めることができる。
【００１６】
【発明の効果】
以上記載のごとく請求項１の発明によれば、メモリ制御部にアドレス制御部とデータ制御部を備えるので、共通のメモリ内に記憶された異なるデータを、正確に記憶して読み出すことが可能となり、メモリ容量の削減とメモリの有効活用を図り、装置のコストダウンを実現することができる。
また請求項２では、メモリ容量の半分ずつに原稿の表と裏の画像データを記憶するので、制御が簡略化され回路構成を簡略化してコストダウンを図ることができる。
また請求項３では、メモリ容量を各ページ数で分割してその分割容量に各ページの画像データを記憶するので、ページとメモリアドレスの対応が容易となり、制御を簡略化することができる。
また請求項４では、メモリ容量を各ページ数のデータ量に応じて割り当て、その割り当てられた容量のアドレスに各ページの画像データを記憶するので、全体のメモリ領域を有効に活用することができる。
また請求項５では、メモリ容量を各ページ数のデータ量に応じて割り当て、その割り当てられた容量のアドレスに各ページの画像データを記憶し、読み出すときはページを指定できるので、全体のメモリ領域を有効に活用すると共に、任意のページを読み出すことが可能となり、利便性が高くなる。
また請求項６では、各ページ毎に書き込み、読み出し動作を行うので、制御が簡略化され、プログラム容量が少なくて済む。
また請求項７では、まず書き込み動作を全ページに亘って行い、次に読み出し動作を全ページ亘って行うので、同じ動作が継続して行われるため、制御が単純となり、且つ書き込みと読み出しの動作の切替が最小の数で済む。
また請求項８では、画像データをある程度メモリに書き込んだ時点でメモリからの読み出しを開始するので、その分装置のアクセスタイムを早めることができる。
また請求項９では、画像データをある程度メモリに書き込んだ時点でメモリからの読み出しを開始し、書き込み動作が完了した時点で次ページの書き込みを開始するので、更に装置のアクセスタイムを早めることができる。
また請求項１０では、メモリにＦＩＦＯ型メモリを使用するので、データの転送速度を早めることが可能となる。
【図面の簡単な説明】
【図１】本発明の実施形態における画像読取装置のブロック図である。
【図２】本発明の第１の実施例形態におけるメモリ制御部５０及びメモリ５１の制御概要を示す図である。
【図３】本発明の第２の実施例形態におけるメモリ制御部５０及びメモリ５１の制御概要を示す図である。
【図４】本発明の第３の実施例形態におけるメモリ制御部５０及びメモリ５１の制御概要を示す図である。
【図５】本発明の第４の実施例形態におけるメモリ制御部５０及びメモリ５１の制御概要を示す図である。
【図６】本発明の図２から図５の両面同時読み取りを２ページ行った場合のメモリ制御を示す図である。
【図７】本発明の両面同時読み取りを２ページ行った場合のメモリ制御を示す図である。
【図８】従来の両面読取を可能とした画像読取装置のブロック図である。
【符号の説明】
１０  原稿の表面の画像読取を行う読取部、２０  原稿の裏面の画像読取を行う読取部、４０  各種Ｉ／Ｆ、５０  メモリ制御部、５１  メモリ
【図１】
2004320314.tif 000003
【図２】
2004320314.tif 000004
【図３】
2004320314.tif 000005
【図４】
2004320314.tif 000006
【図５】
2004320314.tif 000007
【図６】
2004320314.tif 000008
【図７】
2004320314.tif 000009
【図８】
2004320314.tif 000010